(57)【要約】【課題】建物構造の性質を問わず、電気錠及び電気錠の操作器の設置並びに配線を容易に行うことができる手段を提供することにある。【解決手段】電気錠の設置及びその配線等を建物構造部分に施工することを避け、基体１と蓋体１０の形状を、基体１に蓋体１０を嵌合したとき中空部を形成でき、該中空部に配線等を行えるようにし、その嵌合手段が基体１に設けた係着突起６と蓋体１０に設けた係着突起１１の係合によるものであるため着脱が容易であり、基体１を建物及び室の開口部と扉との間に固着したとき、配線後に蓋体１０を嵌着でき、更に前記中空部を利用して基体１に電気錠の操作器等の設置を可能として容易に電気錠の利用を促進できるようにした。【選択図】図１
2008261190.tif 000002
【特許請求の範囲】
【請求項１】
後壁２と該後壁２にそれぞれ直角かつ同体に外壁３と内壁４と扉当接壁５とを形成し、外壁３及び内壁４には複数の係着突起６を突設した縦長の長尺状である金属製の基体１並びに前記係着突起６と着脱自在に係合可能な複数の係着突起１１を突設した縦長の長尺状である金属製である蓋体１０とからなることを特徴とする電気錠の配線補助装置。
【請求項２】
後壁２と該後壁２にそれぞれ直角かつ同体に外壁３と内壁４と扉当接壁５とを形成し、外壁３及び内壁４には複数の係着突起６を突設するとともに、前記後壁２には切欠き７を穿設して電気錠の操作器２２を、前記内壁４には切欠き８を穿設して電気錠２１のボルト受座をそれぞれ固設した縦長の長尺状である金属製の基体１を、建物又は室開口部の建物構造部分の縁に、前記扉当接壁５と扉とが互いに対向するよう固着することを特徴とする電気錠設置構造。
【発明の詳細な説明】
【技術分野】
【０００１】
本発明は、電気錠の配線補助装置及び電気錠設置構造の改良に関するものである。
【背景技術】
【０００２】
一般家庭及び商店や事務所等において、最近建物の開口部に設けられた開き戸や室の出入り口扉等に設けられた、単に機械的構造による施錠を解かれ、思わぬ被害を被ることが多発している。そこで、この被害を避けるため、施錠を解くことの困難な電気錠を活用することが考えられるが、その設置は容易でない点に隘路があった。特に、例えば鉄筋コンクリート造などの堅固な建物である場合、電気錠及び電気錠の操作器を設置し、これに配線をするため建物の構造部分（躯体）に加工する必用があるなど、電気錠の設置に困難が伴っている。電気錠は前記用途とともに、例えば施錠及び解錠を遠隔操作できるなど多くの利便性に富むことから、多種の電気錠が提案され需要の拡大が見込まれているので、前記電気錠等の設置や配線の困難性を解決する必要があった。
【特許文献１】特開２００３−２０６６８６号公報
【発明の開示】
【発明が解決しようとする課題】
【０００３】
解決しようとする問題点は、建物構造の性質を問わず、電気錠及び電気錠操作器の設置並びに配線を極めて容易に行うことができるようにし、従って電気錠等の設置費用を低廉に施工でき、電気錠の活用を容易にすることにある。
【課題を解決するための手段】
【０００４】
本発明は、従来施工されてきた手段と異なり、電気錠及び電気錠操作器の設置及びその配線を建物構造部分（躯体）に付設することを避け、建物開口部又は室開口部に建物構造部分と扉との間に別体である長尺状で中空の四角柱体を設けて、その配線の補助装置とし、並びに電気錠及び電気錠操作器設置装置としても用いることを最も主要な特徴とする。
【発明の効果】
【０００５】
本発明は、前記長尺状で中空の四角柱体を長尺状の基体と該基体に容易に嵌合する蓋体とから形成し、該蓋体を着脱して配線及びその修理を容易に行えるようにして電気錠の配線補助装置に用い、並びに電気錠の構造に従い、建物構造部分に電気錠のボルト受座及び電気錠操作器を付加することなく、これらを基体に設置することにより、電気錠及び電気錠操作器の設置を容易になし得るという利点がある。
【発明を実施するための最良の形態】
【０００６】
上記の場合において、ボルト受座及び電気錠操作器を基体に固設するときは、まず基体を建物構造部分に付設してから固設作業を行うか、又は予め基体に固設作業を行って、その終了後に基体を建物構造部分に付設する作業を行うなど、施工手順が選択できるから、作業が容易であり、更に配線を行ってから長尺状蓋体を嵌合すればよいので、電気錠の設置を簡易に実現できる。
【実施例１】
【０００７】
そこで図面によって説明すると、図１は、電気錠の配線補助装置の構成を示す平面図であって、同図（ａ）は基体１の、同図（ｂ）は蓋体１０の各平面図である。基体１及び蓋体１０はいずれも縦長の長尺状に形成する。基体１は同図（ａ）に示すように、後壁２と該後壁２にそれぞれ直角かつ同体である外壁３と内壁４と扉当接壁５とを形成し、外壁３及び内壁４には複数の係着突起６が突設してある。蓋体１０は同図（ｂ）に示すように、前記基体１に設けた係着突起６と着脱自在に係合する複数の係着突起１１を突設する。使用方法は、基体１を建物開口部又は室開口部の扉と建物構造部分との間に適宜の手段で、上下方向縦長に建物構造部分へ固定すれば、基体１と蓋体１０は、前記係着突起６及び係着突起１１を係合することにより着脱自在に嵌合し、中空の四角柱（中空部は２個所）が形成されるので、該中空部を用い電気錠等設置に必要な配線を容易に行うことができる。
【実施例２】
【０００８】
図２は、前記基体１に切欠き７及び切欠き８を穿設した状態を示す平面図、図３は、電気錠及び電気錠の操作器の設置方法の一例を模型的に示す概略説明図である。まず、図２に示すように、基体１の後壁２の所望の位置及び形状に電気錠の操作器を設置する切欠き７を穿設するとともに、内壁４の後述する位置及び形状に電気錠のボルト受座を設置する切欠き８を穿設する。次に、図３に示すように、切欠き７に電気錠の操作器２２を嵌入して適宜の手段で固定するとともに、扉２０に設ける電気錠本体２１の位置に対応し、かつ、該電気錠本体２１のボルトの形状に合せボルト受座を切欠き８に適宜の手段で固定する。なお、前記のとおり、基体１を扉２０と建物構造部分との間に固定する作業を前記各切欠きに前記各装置等を設置する前後のいずれかを選択できるので、設置される電気錠の構造に従い、最も施工し易い手順を選択すべきである。また、前記蓋体１０の着脱は極めて容易であるから配線作業はもとより、修理なども最小の労力で行うことができる。
【産業上の利用可能性】
【０００９】
電気錠は、用途に応じ多種の構造のものが提案されているが、本発明は、前記電気錠と異なる電気錠を設置するときは、その構造に基づき基体１に付加する装置又は部品を選択することにより、多種の電気錠にも適用できる。
【図面の簡単な説明】
【００１０】
【図１】電気錠の配線補助装置の構成を示す平面図で、（ａ）は基体１の（ｂ）は蓋体１０の各    平面図である。（実施例１）
【図２】基体１に切欠き７及び８を穿設した状態を示す平面図である。（実施例２）
【図３】電気錠及び電気錠の操作器の設置方法の一例を模型的に示す概略説明図である。（実施    例２）
【符号の説明】
【００１１】
１    基体
２    後壁
３    外壁
４    内壁
５    扉当接壁
６    係着突起
１０  蓋体
１１  係着突起
２０  扉
２１  電気錠本体
２２  電気錠の操作器
【図１】
2008261190.tif 000003
【図２】
2008261190.tif 000004
【図３】
2008261190.tif 000005